(57)【特許請求の範囲】
【請求項１】
球タンクに貯留されるパチンコ球を整列して流下させる誘導通路の流下端にパチンコ球払出装置を着脱自在に設け、該パチンコ球払出装置の下方には払出されたパチンコ球を機前の球受皿に導く排出通路を設けてなるパチンコ遊技機において、前記パチンコ球払出装置の上下方いずれかにロック部材を設け、該ロック部材は、回動によりパチンコ球払出装置に接触して該パチンコ球払出装置を固定保持する係止部と、固定保持状態においてその前面が球通路壁の一部を兼用するカバー部とで構成されていることを特徴とするパチンコ遊技機におけるパチンコ球払出装置の取付構造。
【請求項２】
前記パチンコ球払出装置の固定保持状態において、ロック部材の係止部に働く荷重が該ロック部材の固定解除方向と異なる方向となるように構成されていることを特徴とする請求項１に記載のパチンコ遊技機におけるパチンコ球払出装置の取付構造。
【請求項３】
前記パチンコ球払出装置を取外した状態において、ロック部材がパチンコ球払出装置の取付部を開放する位置に保持されるようになっている請求項１又は２に記載のパチンコ遊技機におけるパチンコ球払出装置の取付構造。
【発明の詳細な説明】
【０００１】
【発明の属する技術分野】
本発明は、パチンコ遊技機におけるパチンコ球払出装置の取付構造に関するものである。
【０００２】
【従来の技術】
従来、パチンコ遊技機の遊技盤裏面には周知のように合成樹脂製の機構板が装着されている。この機構板の裏面上部には球タンクが固着されており、該球タンクの下方に球タンクに貯留されたパチンコ球を下流側に整列しながら流下させる誘導通路が設けられている。また、誘導通路の流下端には球止装置を介してパチンコ球払出装置が設けられている。そして、このパチンコ球払出装置は、何らかの要因で故障したときに取外して修理又は交換ができるように機構板に対して着脱可能に装着されている。
【０００３】
ところで、従来のパチンコ球払出装置は、図９に示すように機構板１００の取付部１０１に設けられた係合部１０２にパチンコ球払出装置１０３の四隅部に設けられた係合突起１０４をはめ込んで上方へスライドさせた後、ロック部材１０５を回動してパチンコ球払出装置１０３の下端を支持することにより取付部１０１に固定保持するようにされている。
【０００４】
【発明が解決しようとする課題】
しかしながら、従来のパチンコ球払出装置の取付構造では、パチンコ球払出装置１０３の下方にロック部材１０５を取り付けるための隙間１０６が必要となり、パチンコ球払出装置１０３から流下するパチンコ球がその隙間からこぼれ落ちないよう前記ロック部材１０５とは別個にカバー部材１０７を設けなければならず、組立工程が複雑化するとともに部品点数が増加しコストアップの原因ともなっていた。
【０００５】
そこで、本発明は上記した課題を解決するべくなされたもので、ロック部材によりパチンコ球払出装置の固定保持と球こぼれを防ぐためのカバー部とを兼用しうるようにして部品点数の削減並びにコストダウンが可能なパチンコ遊技機におけるパチンコ球払出装置の取付構造を提供することを目的とするものである。
【０００６】
【課題を解決するための手段】
上記した目的を達成するために、本発明は、球タンクに貯留されるパチンコ球を整列して流下させる誘導通路の流下端にパチンコ球払出装置を着脱自在に設け、該パチンコ球払出装置の下方には払出されたパチンコ球を機前の球受皿に導く排出通路を設けてなるパチンコ遊技機において、前記パチンコ球払出装置の上下方いずれかにロック部材を設け、該ロック部材は、回動によりパチンコ球払出装置に接触して該パチンコ球払出装置を固定保持する係止部を有し、かつその固定保持状態においてパチンコ球払出装置から払出されたパチンコ球を排出通路に導くカバー部として機能するようにしたものである。
【０００７】
そして、ロック部材によるパチンコ球払出装置の固定保持状態が確固と維持されるようにするため、パチンコ球払出装置の固定保持状態において、ロック部材の係止部に働く荷重が該ロック部材の固定解除方向と異なる方向となるように構成するのが好ましい。
【０００８】
また、パチンコ球払出装置の着脱が容易にできるように、パチンコ球払出装置を取外した状態において、ロック部材がパチンコ球払出装置の取付部を開放する位置に保持されるようにするのが好ましい。
【０００９】
前記した本発明の構成によれば、ロック部材の回動によりパチンコ球払出装置を確固と固定保持することができると共に、払い出されるパチンコ球が外へこぼれ落ちるのを防いで排出通路に確実に排出させることが可能となる。
【００１０】
【発明の実施の形態】
次に、本発明の一実施の形態を図面を参照して説明する。図１は本発明が適用されるパチンコ遊技機の裏面図、図２はパチンコ球払出装置を取外した状態の要部斜視図、図３はパチンコ球払出装置を取着した状態の要部斜視図である。図において、１はパチンコ遊技機の外枠、２は外枠１の前面に開閉自在に装着される前面枠、３は前面枠２の裏面側に固着された遊技盤取付枠、４は遊技盤取付枠３に着脱自在に取着された遊技盤であって、該遊技盤４の裏面に合成樹脂製の機構板５が開閉自在に装着されている。
【００１１】
前記機構板５は、遊技盤４の裏面に相対する板状部５ａを有し、該板状部５ａの裏面上部に球タンク６が固着されている。球タンク６の下方には、該球タンク６に貯留されたパチンコ球を下流側に整列して流下させる誘導通路７が設けられている。また、該誘導通路７の下流側には球止装置８を介してパチンコ球払出装置９が設けられており、その下方には、払い出されたパチンコ球を図示しない前面枠２の前面の打球供給皿に導く排出通路１０と、打球供給皿の余剰球を下部球皿に導く余剰球通路１１が形成されている。１２は球タンク６内のパチンコ球を球抜きをするための球抜き通路である。
【００１２】
前記機構板５の板状部５ａの前面には入賞球を集合する入賞球集合空間が形成されており、その下方部に入賞球集合部１３が設けられている。また、板状部５ａの裏面には入賞球集合部１３に集められた入賞球を１個ずつ排出処理する入賞球処理装置１４が設けられている。なお、入賞球集合空間を形成する板状部５ａ部分には開口窓１５が開設されており、該開口窓１５を塞ぐように入賞球集合カバー１６が遊技盤４の裏面に取着されている。
【００１３】
前記パチンコ球払出装置９は、図４及び図５に示すように直方体状のケーシング１７を有し、その内部に前記誘導通路７の２条の球通路１８，１８にそれぞれ連なる球供給路１９，１９が形成されており、各球供給路１９，１９内にステッピングモータ２０によって回転される一対のスプロケット２１，２１の外周一部を臨ませている。そして、前記ステッピングモータ２０の回転でスプロケット２１，２１を回転させることにより各球供給路１９，１９に供給されるパチンコ球を排出通路１０へ払い出すようになっている。
【００１４】
一方、前記誘導通路７の下方に位置した板状部５ａには図２及び図３に示すように、パチンコ球払出装置９を所定の位置に正確に位置づけるためにケーシング１７より上下方向にやや大きい面積を有する凹窪状の取付部２２が形成され、その取付部２２の奥部に前記ケーシング１７の前面四隅部に設けられた係合突部２３を係合し得る係合規制部２４が突設されている。このため、ケーシング１７の前面を取付部２２の奥部に当てがって係合突部２３を係合規制部２４に臨ませ、この状態でケーシング１７を上方にスライドさせて係合突部２３と係合規制部２４とを互いに係合させることにより、パチンコ球払出装置９を取付部２２に着脱自在に取着できるようになっている。なお、前記球止装置８は、パチンコ球払出装置９を取付部２２に取着することにより、これのケーシング１７の上面で上方へ押圧されて球通路１８，１８と球供給路１９，１９とを連通状とし、パチンコ球払出装置９を取外すと弾発力により下方に回動して球通路１８，１８を閉じパチンコ球の落下を阻止するようになっている。
【００１５】
しかして、前記パチンコ球払出装置９の下方に位置した取付部２２にはロック部材２５が設けられている。このロック部材２５は図６に示す立体形とし、これの両側のほぼ上下中間位置に突設した軸２６，２６によって図４に示すパチンコ球払出装置９の固定保持位置と図５に示す固定解除位置とに回動自在に軸支されている。そして、この固定保持位置においてその前面がカバー部としてパチンコ球払出装置９と排出通路１０との間の隙間を塞いで排出通路１０の一部通路壁を兼用し得る大きさに形成されている。
【００１６】
また、前記ロック部材２５は軸２６，２６より上方部分を肉厚として常に図５に示す固定解除位置に回動するように重心位置が設けられており、このとき、その下端がストッパ片２７で受け止められるようになっている。また、ロック部材２５の上端は前後方向のテーパー面として形成されており、そのテーパー面の上縁部分がほぼ平坦面とした係止部２８として形成されている。
【００１７】
前記係止部２８は、図４に示すようにパチンコ球払出装置９のケーシング１７下面に接触係合して該パチンコ球払出装置９を固定保持するもので、その状態において係止部２８は軸２６，２６の鉛直線より前面寄りに位置して該係止部２８に働く荷重がロック部材２５の固定解除方向（図４において、反時計回り方向）と異なる方向（図４において、時計回り方向）つまり反対方向に掛かるようになっている。また、ロック部材２５の両側下端にはその固定保持位置において、取付部２２の凹孔３０，３０に嵌合する小突起３１，３１が設けられており、凹孔３０，３０と小突起３１，３１との嵌合によってロック部材２５が無用に固定解除方向に回動するのを阻止するようになっている。このとき、ロック部材２５の下端後面がストッパ片３２に当接してその回動範囲が規制されるようになっている。
【００１８】
このように構成された本発明によれば、図４に示すようにパチンコ球払出装置９を取付部２２に取着した状態でロック部材２５を時計回り方向に回動させると、これの係止部２８がパチンコ球払出装置９の下面に接触係合し、該パチンコ球払出装置９を上方へ押し上げながら強固に固定保持する。このとき、ロック部材２５の係止部２８に働く荷重が該ロック部材２５の固定解除方向と反対方向となるようにされているため、例えばパチンコ球の払出動作に伴う振動を受けてもロック部材２５が無用に回動してパチンコ球払出装置９の下面との接触係合が外れるという不都合を回避でき、常にその固定保持状態を確固と維持することができる。
【００１９】
そして、パチンコ球払出装置９と排出通路１０との間の隙間がロック部材２５によって塞がれることになるため、パチンコ球払出装置９から払出されるパチンコ球が外へこぼれ落ちるのを防止でき、さらにロック部材２５の前面を通路壁の一部として兼用して確実に排出通路１０へ導くことができる。
【００２０】
一方、パチンコ球払出装置９を取り外す場合には、図５に示すようにロック部材２５を反時計回り方向に回動してロック部材２５の係止部２８とパチンコ球払出装置９の下面との接触係合を解除することによって容易に取外すことができる。このとき、ロック部材２５は自重により取付部２２を開放する位置に自動的に回動されるため、パチンコ球払出装置９の着脱を容易に行うことができる。
【００２１】
次に、図７及び図８を参照して他の実施の形態に係るロック部材２５Ａについて説明する。この実施の形態におけるロック部材２５Ａは、パチンコ球払出装置９と排出通路１０との間の隙間を塞ぐ大きさの扉板形状として機構板５ａと一体に形成されると共に、薄肉状のヒンジ部３３によって水平方向へ回動可能なように形成されており、その上端テーパー面の上縁部分がパチンコ球払出装置９の下面に接触係合する係止部３４となっている。
【００２２】
そして、図８に示すようにロック部材２５Ａを回動して係止部３４をパチンコ球払出装置９の下面に接触係合させると共に、ロック部材２５Ａの弾性爪片３５を機構板５側に設けられた係合受部３６に嵌めて止着することにより、パチンコ球払出装置９を容易に固定保持することができる。尚このとき係止部３４に働く荷重はロック部材２５Ａの固定解除方向と異なる方向となっている。また、ロック部材２５Ａによってパチンコ球払出装置９と排出通路１０との間の隙間を塞いで払出されるパチンコ球を排出通路１０へ確実に導くことができる。一方パチンコ球払出装置９を取外す場合は、図７のようにロック部材２５Ａを手前方向に回動してロック部材２５Ａの係止部３４とパチンコ球払出装置９の下面との接触係合を解除することによって容易に取外すことができる。このとき、ロック部材２５Ａはヒンジ部３３によりロック部材２５Ａがパチンコ球払出装置９の取付部２２を開放する位置に保持されるようになっているためパチンコ球払出装置９の着脱を容易に行うことができる。なお、この実施の形態の場合、パチンコ球払出装置９の取付部２２を含むロック部材２５Ａを、例えばＰＰ（ポリプロピレン）樹脂により機構板５ａと別体に形成し、ビス止め等の手段により一体化するとよい。以上説明はロック部材をパチンコ球払出装置９の下方に設けた場合のものであるが、これが上方に設けられた場合であってもよい。
【００２３】
【発明の効果】
以上説明したところから明らかなように、本発明に係るパチンコ遊技機におけるパチンコ球払出装置の取付構造によれば、ロック部材の回動によってパチンコ球払出装置を確固と固定保持すると共に、該パチンコ球払出装置と排出通路との間の隙間を塞いで払出されるパチンコ球を確実に排出通路へ導くようにしたものであるから、従来のようにパチンコ球払出装置を固定保持するためのロック部材と、該パチンコ球払出装置から払出されるパチンコ球が外へこぼれ落ちないようにするためのカバー部材とを別々に設ける必要がなくなり、部品点数を削減してコストダウンを図ることができると共に、作業能率を向上することができる。
【図面の簡単な説明】
【図１】本発明が適用されるパチンコ遊技機の裏面図である。
【図２】パチンコ球払出装置を取外した状態の要部斜視図である。
【図３】パチンコ球払出装置を取着した状態の要部斜視図である。
【図４】係止部材によるパチンコ球払出装置の支持状態を示す要部正面断面図である。
【図５】係止部材によるパチンコ球払出装置の支持を解除した状態を示す要部正面断面図である。
【図６】ロック部材の斜視図である。
【図７】パチンコ球払出装置を取外した状態の他の実施の形態の要部斜視図である。
【図８】パチンコ球払出装置を取着した状態の他の実施の形態の要部斜視図である。
【図９】従来技術の説明図である。
【符号の説明】
６              球タンク
７              誘導通路
９              パチンコ球払出装置
１０            排出通路
２２            取付部
２５，２５Ａ    ロック部材
２８，３４      係止部
【図１】
0004256959.tif 000002
【図２】
0004256959.tif 000003
【図３】
0004256959.tif 000004
【図４】
0004256959.tif 000005
【図５】
0004256959.tif 000006
【図６】
0004256959.tif 000007
【図７】
0004256959.tif 000008
【図８】
0004256959.tif 000009
【図９】
0004256959.tif 000010